(57)【要約】      （修正有）【課題】筺体の表面に直接ロゴや絵柄等の装飾部を設けても、筺体の歩留りが良く、かつ、装飾部に傷がつきにくく、意匠性に高級感が得られる電気機器を提供する。【解決手段】表面の一部にロゴや絵柄等の表示パターンの外形線に合わせた抜き孔２１を形成した装飾板と、装飾板の背面に取り付けられ抜き孔２１との組み合わせで表示パターンを構成する突起部３２を備える取付板３０と、取付板３０の突起部３２に合わせた突起部用孔４１が設けられた装飾シート４０とからなる装飾部を備え、取付板３０の突起部３２に装飾シート４０の突起部用孔４１を嵌め込んで装飾シート４０を挟むように取付板３０を装飾板に取付ける。【選択図】図４
2014098727.tif 000002
【特許請求の範囲】
【請求項１】
表面の一部にロゴや絵柄等の表示パターンの外形線に合わせた抜き孔を形成した装飾板と、前記装飾板の背面に取り付けられ前記抜き孔との組み合わせで前記表示パターンを構成する突起部を備える取付板と、前記取付板の前記突起部に合わせた突起部用孔が設けられた装飾シートとからなる装飾部を備え、
前記取付板の前記突起部に前記装飾シートの前記突起部用孔を嵌め込んで前記装飾シートを挟むように前記取付板を前記装飾板に取付けることを特徴とする電気機器。
【請求項２】
前記装飾板と前記取付板は同色であり、前記装飾シートは別色であることを特徴とする請求項１に記載の電気機器。
【請求項３】
前記装飾板と前記取付板は、前記装飾板の前記装飾シートを挟む面が前面側へ谷となる曲面状に形成され、前記取付板の前記装飾シートを挟む面が前面側へ山となる曲面状に形成されることを特徴とする請求項１または請求項２に記載の電気機器。
【請求項４】
前記取付板は前記突起部以外の前記装飾板の前記抜き孔の形成範囲に合わせて１つ以上の光通過孔が形成され、前記装飾シートはハーフミラー状のシートであり、前記取付板の背面側には前記光通過孔に対向する位置に光源を備え、
前記光源から発光された光が前記取付板の前記光通過孔と前記装飾板の前記抜き孔を通過して前記表示パターンを光らせることを特徴とする請求項１乃至請求項３のいずれかに記載の電気機器。
【発明の詳細な説明】
【技術分野】
【０００１】
本発明は、電気機器に関し、特に、ロゴや絵柄等を筺体の表面に表示させる構造に関する。
【背景技術】
【０００２】
電気機器の中で、例えば空気調和機は、筺体の前面を構成する樹脂製の吸込グリルの表面に、フィルムに金属コーティング層を形成したホットスタンプ箔をロゴや絵柄等を備えたラバー刻印で加圧加熱することで熱転写（以下、ホットスタンプと称す）させた装飾部を備えたものがある。
しかしながら、吸込グリルに直接ホットスタンプを施すため、ホットスタンプの打ち損じが生じた時に、大型部品である吸込グリルを廃棄するしかなく、歩留まりが悪くなり製品コストに影響を与えた。また、使用者が吸込グリルの表面を清掃する時に、ブラシでこすることで装飾部のホットスタンプ箔を傷つけたり、洗剤でふき取ることでホットスタンプ箔のメタリック感が擦れたりして意匠性を損なうという問題が生じた。
【０００３】
この問題を解決した空気調和機に、ホットスタンプ箔による装飾部を設けた直方体形状の小さな装飾部品を、吸込グリルに形成された凹部に取り付けたものがある（例えば、特許文献１参照）。
この空気調和機においては、吸込グリルに直接ホットスタンプを施さずに別部品である装飾部品にホットスタンプを施すので、ホットスタンプの打ち損じが生じても装飾部品のみを廃棄すればよく歩留まりが改善される。また、吸込グリルに形成された凹部の底面壁に装飾部品が取り付けられ、装飾部のホットスタンプ箔が吸込グリルの表面から奥の位置に配置されることで、吸込グリルの表面を清掃してもホットスタンプ箔に傷や擦れを与えにくい。
【０００４】
しかしながら、特許文献１の空気調和機では、吸込グリルと装飾部品が別部品であるが故、吸込グリルを正面から見た際、装飾部の周りに吸込グリルの凹部や装飾部品の外郭による輪郭線が見えてしまうため、輪郭線の無い装飾部だけのシンプルな表現ができないという問題点があった。
【先行技術文献】
【特許文献】
【０００５】
【特許文献１】特開２００８−２１５６８７号公報
【発明の概要】
【発明が解決しようとする課題】
【０００６】
本発明は上記問題点に鑑み、筺体の表面に直接ロゴや絵柄等の装飾部を設けても、筺体の歩留りが良く、かつ、装飾部に傷がつきにくく、意匠性に高級感が得られる電気機器を提供することを目的とする。
【課題を解決するための手段】
【０００７】
上記課題を解決するため、本発明の電気機器は、表面の一部にロゴや絵柄等の表示パターンの外形線に合わせた抜き孔を形成した装飾板と、装飾板の背面に取り付けられ抜き孔との組み合わせで表示パターンを構成する突起部を備える取付板と、取付板の突起部に合わせた突起部用孔が設けられた装飾シートとからなる装飾部を備え、取付板の突起部に装飾シートの突起部用孔を嵌め込んで装飾シートを挟むように取付板を装飾板に取付ける。
【発明の効果】
【０００８】
本発明の電気機器によれば、装飾部は、装飾板に形成された抜き孔と取付板に備えられた突起部と装飾シートの組み合わせで表示パターンを構成するようにしたため、装飾板に直接ロゴや絵柄などの表示パターンを設けても、装飾板にホットスタンプを施すことがないので歩留りが改善される。また、装飾板の厚みにより抜き孔に奥行きができるため、装飾板と取付板との間に挟まれる装飾シートに傷がつきにくくなり、立体的な表示パターンに見えるため、意匠性に高級感を与えることができる。さらに、取付板の突起部に合わせ装飾シートに突起部用孔を形成したため、装飾板と取付板との間に装飾シートを挟む際、装飾シートの位置ズレを防ぐことができる。
【図面の簡単な説明】
【０００９】
【図１】本発明の電気機器である空気調和機を示す外観斜視図である。
【図２】図１におけるＡ矢視の丸印部を示す部分拡大図である。
【図３】図２における部分断面図で、（ａ）はＡ−Ａ断面図、（ｂ）はＢ−Ｂ断面図である。
【図４】図２における分解斜視図である。
【図５】本発明の電気機器である空気調和機の吸込グリルの背面側を示す説明図で、（ａ）は分解斜視図、（ｂ）は図３（ａ）のＡ−Ａ断面図に相当する分解断面図、（ｃ）は図３（ｂ）のＢ−Ｂ断面図に相当する分解断面図、（ｄ）は（ａ）に示す分解構成部品を組み立てた外観斜視図である。
【図６】本発明の電気機器である空気調和機の他の実施例を示す説明図で、（ａ）は取付板を示す斜視図、（ｂ）は図３（ｂ）のＢ−Ｂ断面図に相当する断面図である。
【発明を実施するための形態】
【００１０】
以下、本発明の実施形態を添付図面に基づき詳細に説明する。本発明に係わる電気機器の実施形態として、図１に示すように、空気調和機１を例に挙げて説明する。なお、本発明は空気調和機の他に、空気清浄機やＡＶ装置などに用いられる装飾板を備えた電気機器に適用することができる。
【実施例１】
【００１１】
＜空気調和機＞
図１に示すように、空気調和機１は、図示しない送風ファン、熱交換器、エアフィルタなどを内部に収容した箱状の筺体１０と、筺体１０の前面に取付けられる吸込グリル２０とからなり、筺体１０および吸込グリル２０の上部の吸込口１１から吸込んだ空気を熱交換器で熱交換し、送風ファンにより吹出口から風向板１２で風向を調整して室内に吹き出す構造になっている。
【００１２】
＜吸込グリル＞
吸込グリル２０は、図１乃至図４に示すように、筺体１０に合わせ左右方向に長い矩形に形成された樹脂製であり、メンテナンス時には取り外し可能となっている。
吸込グリル２０の前面側はフラットな形状であり、前面の一部に空気調和機１のブランド名やペットネームのロゴやマークなどの図柄（表示パターンＰ）を表示する装飾部２を備える。
【００１３】
装飾部２は、表示パターンＰの外形線に合わせて、吸込グリル２０を打ち抜いた１つ以上の抜き孔２１と、抜き孔２１に合わせて吸込グリル２０の背面に取付けられる取付板３０と、抜き孔２１と取付板３０との間に挟まれる装飾シート４０とからなる。
吸込グリル２０は、本実施形態において装飾板になっている。
【００１４】
表示パターンＰは、本実施形態ではロゴで「ａｉｒｃｏｎ」となるローマ字のａ、ｉ、ｒ、ｃ、ｏ、ｎを並べたものであり、それぞれの外形線に合わせて吸込グリル２０の厚さ方向に貫通した抜き孔２１が左から順に間隔を置いて形成されている。
【００１５】
吸込グリル２０には、図３および図４に示すように、吸込グリル２０の背面から前面側に凹んだ凹部２２を備える。凹部２２は、左右方向に並んだ抜き孔２１を囲むように、上下方向に比べて左右方向に長い矩形に形成されている。凹部底面２２０は、抜き孔２１の上下方向の中央部Ｍが最も谷となるよう曲面状に形成されている。
【００１６】
吸込グリル２０の裏面には、取付板３０を係止する複数の係止爪２３が形成されている。
係止爪２３は、図３乃至図５に示すように、吸込グリル２０の背面側から突出するように形成された弾性を有する爪であって、吸込グリル２０を背面から見たとき、凹部２２の周縁２２１よりも外側にあり、周縁２２１の上縁２２１ａと下縁２２１ｂに沿って間隔を置いて形成されている。係止爪２３は、凹部２２に向けて引っ掛かり部分が形成されている。
【００１７】
＜取付板＞
取付板３０は、吸込グリル２０の係止爪２３の間隔に合わせた大きさで断面弓形の矩形状に形成された、吸込グリル２０と同じ色彩の樹脂製であり、吸込グリル２０に備えられた凹部２２に嵌め込まれ、凹部２２と略同じ大きさに形成された取付部３１と、取付部３１の前面に形成された１つ以上の突起部３２と、取付部３１の上下端に吸込グリル２０の係止爪２３により係止される係止片３３とを備えている。
【００１８】
取付部３１は、吸込グリル２０の凹部底面２２０と曲率を合わせ、取付部前面３１０が吸込グリル２０の前面側へ山となるように曲面状に形成されている。
【００１９】
突起部３２は、表示パターンＰの外形線に表れない部分、図４では「ａ」の中の丸形状部分と「ｏ」の中の丸形状部分を形作る。また、丸形状に限らず、例えば、大文字の「Ａ」の場合は三角形状となり、カタカナの「ロ」の場合は四角形状となる。
本実施形態では、突起部３２は、取付部前面３１０から突出するように形成され、取付部３１の上下方向の中央部であって左右方向に間隔を置いて形成されている。突起部３２は、高さの寸法が吸込グリル２０と組み合されたときに吸込グリル２０の表面と揃うように形成されている。突起部３２は、吸込グリル２０に形成された表示パターンＰの外形線に合わせた抜き孔２１との組み合わせで表示パターンＰを構成している。
【００２０】
すなわち、突起部３２は、図２に示すように、抜き孔２１の中で、ローマ字のａとｏの表示パターンＰの外形線に合わせた抜き孔２１に挿入されたとき、ローマ字のａとｏの表示パターンＰを構成する。なお、突起部３２は、ローマ字のａとｏのように、島部を有する表示パターンＰを構成するようにしたが、本発明はこれに限らず、抜き孔２１の中で、ローマ字のｃやｎのように、島部を有しない表示パターンを構成する場合、抜き孔２１の一部を分割線Ｃで分割した分割部Ｄを、凸部３１に形成される突起部３２にしてもよい。
【００２１】
係止片３３は、取付部３１の上下端の側面から一体に形成され左右方向に延びる突片であり、吸込グリル２０に備えられた凹部２２に嵌め合わせたとき、凹部２２の周縁２２１から外側で吸込グリル２０の背面に突き当たるように形成されている。
【００２２】
＜装飾シート＞
装飾シート４０は、図３および図４に示すように、吸込グリル２０に備えられた凹部２２と取付板３０の取付部３１の大きさよりも少し小さく、上下方向に比べて左右方向に長い矩形のシート状であり、透明フィルムに蒸着された金属蒸着層を備えた金属蒸着フィルムであり、これにより、装飾部２を見た時、メタリック感を与える。また、これに限らず、吸込グリル２０と異なった色調を有するものであれば塩ビシートでも紙製でもよい。
【００２３】
装飾シート４０には、取付板３０の突起部３２に合わせた突起部用孔４１が設けられている。突起部用孔４１は、取付板３０の突起部３２に嵌め込むことで、装飾シート４０を取付板３０に合わせるガイドとなり、吸込みグリル２０の凹部底面２２０と取付板３０の取付部前面３１０との間に挟まれる。
これにより、装飾シート４０は、図２に示すように、吸込グリル２０を正面から見たとき、吸込グリル２０の抜き孔２１から露出する。装飾シート４０と抜き孔２１との間に奥行きが形成されるので、表示パターンＰが抜き孔２１と突起部３２によるローマ字のａ、ｉ、ｒ、ｃ、ｏ、ｎの立体的な装飾部２となる。
【００２４】
＜組立＞
次に、吸込グリル２０に取付板３０と装飾シート４０を固定する方法について説明する。図４および図５に示すように、取付板３０の取付部前面３１０に形成された突起部３２に、装飾シート４０に設けられた突起部用孔４１を嵌め込む。これにより、取付板３０に装飾シート４０が位置合わせされる。
【００２５】
次に、装飾シート４０が位置合わせされた状態の取付板３０の取付部３１を、吸込グリル２０の凹部２２に嵌め込む。その後、取付板３０の係止片３３を吸込グリル２０の係止爪２３に係止させることで、図５（ｄ）に示すように、吸込グリル２０の背面に取付板３０が取付けられる。
【００２６】
装飾シート４０は、吸込グリル２０の背面に取付板３０が取付けられると、図３に示すように、吸込グリル２０の凹部底面２２０と、取付板３０の取付部前面３１０との間に挟まれる。このとき、装飾シート４０は、凹部底面２２０が曲面状に形成され、取付部前面３１０が曲面状に形成されているため、前面側に湾曲した状態で挟まれる。
【００２７】
また、取付板３０に形成された突起部３２は、図２および図３（ｂ）に示すように、装飾部２の抜き孔２１のうち、ローマ字のａとｏの表示パターンの外形線に合わせた抜き孔２１に挿入される。これにより、突起部３２と抜き孔２１の組み合わせにより、島部を有するローマ字のａとｏの表示パターンが形成される。
【００２８】
以上説明してきた実施形態による空気調和機１によれば、装飾部２の抜き孔２１と取付板３０の突起部３２と装飾シート４０の組み合わせで表示パターンＰを構成するようにした。このため、吸込グリル２０に直接ロゴや絵柄などの表示パターンを設けても、吸込グリル２０自体にホットスタンプを施すことがないので、ホットスタンプの打ち損じが生じた時に、吸込グリル２０を廃棄しなくて済むため、歩留りが改善され製品コストを抑えることができる。
また、吸込グリル２０の厚さにより装飾部２の抜き孔２１に奥行きができるため、吸込グリル２０の表面の表示パターンＰの部分を清掃しても、吸込グリル２０と取付板３０との間に挟まれた装飾シート４０に傷がつきにくくすることができる。
【００２９】
また、装飾部２の抜き孔２１と取付板３０の突起部３２と装飾シート４０との組み合わせにより、ローマ字のａ、ｉ、ｒ、ｃ、ｏ、ｎの表示パターンＰが立体的にメタリック調に光り輝き、空気調和機１の意匠性に高級感を与える。
さらに、取付板３０の突起部３２に合わせて装飾シート４０に突起部用孔４１を形成したので、吸込グリル２０と取付板３０との間に装飾シート４０を挟み込む際、装飾シート４０の位置ズレや、位置ズレに伴うシワの発生を防ぐことができる。
【００３０】
また、以上説明してきた実施形態による空気調和機１によれば、吸込グリル２０の凹部底面２２０である装飾シート４０を挟む面が前面側へ谷となる曲面状に形成され、取付板３０の取付部前面３１０である装飾シート４０を挟む面が前面側へ山となる曲面状に形成されるようにした。このため、ローマ字のａ、ｉ、ｒ、ｃ、ｏ、ｎの表示パターンＰは、装飾シート４０が凹部底面２２０と取付部前面３１０との間に湾曲状態で挟まれるため、湾曲せずに挟まれる場合に比べて、外部からの入射光が乱反射するので、メタリック調の光り輝きを際立たせ、空気調和機１の意匠性に高級感を与える。
【００３１】
なお、本実施形態による空気調和機１では、吸込グリル２０に凹部２２と、取付板３０に凹部２２に合わせた取付部３１を設けて、取付板３０を吸込グリル２０に嵌め易くしているが、これに限らず、吸込グリル２０に抜き孔２１のみを形成し、取付板３０に突起部３２のみを形成して、取付板３０を吸込グリル２０に突き合わせてもよい。
また、吸込グリル２０と取付板３０は樹脂製であるが、これに限らず、吸込グリル２０と取付板３０が板金製であり、吸込グリル２０に打ち抜き加工で抜き孔２１を形成し、取付板３０にプレス加工で突起部３２を形成して、装飾シート４０を挟み、取付板３０を吸込グリル２０に両面テープや接着剤等で貼り合わせてもよい。
【実施例２】
【００３２】
次に、その他の実施形態による装飾部２について図６を用いて説明する。なお、前述の実施形態と同じ構成については同一符号を付し、その説明を省略する。この装飾部２の前述の実施形態と相違する点は、図６に示すように、取付板５０の構造が相違するとともに光源７０を備えたところである。
【００３３】
取付板５０は、前述と同様に、取付部５１と突起部５２と係止片５３とを備え、取付部５１には、突起部５２以外の吸込グリル２０の抜き孔２１の形成範囲に合わせて１つ以上の光通過孔５４が形成されている。
【００３４】
装飾シート６０は、透明フィルムに金属を蒸着して透過性の反射層を備えたハーフミラー状のシートである。装飾シート６０は、前述と同様に、突起部用孔６１を取付板５０の突起部５２に嵌め込み、吸込グリル２０の凹部底面２２０と取付板５０の取付部前面５１０との間に挟まれる。
【００３５】
光源７０は、取付板５０の光通過孔５４に対向する位置に配置されたＬＥＤからなる。この光源７０は、吸込グリル２０の複数の抜き孔２１に合わせて複数のＬＥＤが左右方向に並んで配置される。
【００３６】
次に、光源７０の点灯と消灯による作用を説明する。光源７０を点灯させると、光源７０から発光された光は取付部５１の光通過孔５４を通過し、装飾シート６０の反射層を透過して、吸込グリル２０の突起部５２以外の抜き孔２１から外部に照射される。これにより、吸込グリル２０を正面から見たとき、光源７０の光により表示パターンＰの全体が光って見える。
【００３７】
一方、光源７０を消灯させると、吸込グリル２０を正面から見たとき、装飾シート６０の反射層が鏡のようになり、抜き孔２１に入射する外部からの入射光が反射層で反射し、取付部５１の光通過孔５４が視認されることはなく、空気調和機の意匠性を損ねることがない。
【００３８】
以上説明してきた本実施形態についても、前述の実施形態と同様な効果を得ることができる。さらに、光源７０を点灯することにより表示パターンＰの電飾効果を得ることができ、この電飾効果を空気調和機の運転状態を表示するインジケータに用いることもできる。
【符号の説明】
【００３９】
１  空気調和機
１０  筺体
２  装飾部
２０  吸込グリル
２１  抜き孔
２２  凹部
２２０  凹部底面
２２１  周縁
２２１ａ  上縁
２２１ｂ  下縁
２３  係止爪
３０、５０  取付板
３１、５１  取付部
３１０、５１０  取付部前面
３２、５２  突起部
３３、５３  係止片
４０、６０  装飾シート
４１、６１  突起部用孔
５４  光通過孔
７０  光源
Ｐ  表示パターン
【図１】
2014098727.tif 000003
【図２】
2014098727.tif 000004
【図３】
2014098727.tif 000005
【図４】
2014098727.tif 000006
【図５】
2014098727.tif 000007
【図６】
2014098727.tif 000008